【手続補正書】
【提出日】平成15年8月25日(2003.8.25)
【手続補正１】
【補正対象書類名】明細書
【補正対象項目名】全文
【補正方法】変更
【補正の内容】
【発明の名称】毛皮製品並びに毛皮製品の製造方法
【特許請求の範囲】
【請求項１】皮部表面側に毛部を有する毛付皮を帯状に分断して帯状毛皮を形成し、この各帯状毛皮の表面側の前後端部を裏面側へ折り返し形成して、この帯状毛皮の裏面側の皮部の前後端部に毛部を形成し、この分断した帯状毛皮を各表裏向きが交互に表裏反対となるように並設し、この並設した各帯状毛皮の隣接する左右端縁同士を継合して表裏両面双方に毛部を有するように構成したことを特徴とする毛皮製品。
【請求項２】前記毛付皮を細分断して細帯状の前記帯状毛皮を形成し、この分断した帯状毛皮を各表裏向きが交互に表裏反対となるように並設し、この並設した各帯状毛皮の隣接する左右端縁同士を継合して表裏両面双方に毛部を有するように構成したことを特徴とする請求項１記載の毛皮製品。
【請求項３】帯状の前記毛付皮を、この毛付皮の長さ方向に細分断して細帯状の前記帯状毛皮を形成し、この分断した帯状毛皮を各表裏向きが交互に表裏反対となるように並設し、この並設した各帯状毛皮の隣接する左右端縁同士を継合して表裏両面双方に毛部を有するように構成したことを特徴とする請求項１記載の毛皮製品。
【請求項４】前記各帯状毛皮の毛部の毛並みが、表裏面で揃った状態となるように帯状毛皮の並設状態を設定したことを特徴とする請求項１〜３のいずれか１項に記載の毛皮製品。
【請求項５】皮部表面側に毛部を有する毛付皮を帯状に分断して帯状毛皮を形成し、この各帯状毛皮の表面側の前後端部を裏面側へ折り返し形成して、この帯状毛皮の裏面側の皮部の前後端部に毛部を形成し、この分断した帯状毛皮の各表裏向きを交互に表裏反対となるように並設し、この並設した各帯状毛皮の隣接する左右端縁同士を継合して表裏両面双方に毛部を有するようにすることを特徴とする毛皮製品の製造方法。
【発明の詳細な説明】
【０００１】
【発明の属する技術分野】
本発明は、毛皮製品並びに毛皮製品の製造法に関するものである。
【０００２】
【従来の技術及び発明が解決しようとする課題】
従来の毛皮製品は、獣の毛付皮を切欠したり縫い合わせたりして所定形状に形成し、この所定形状に形成した毛付皮の皮部の裏側に布生地などの裏地を縫い付けて構成している。
【０００３】
また、従来、二片の毛付皮の皮部裏面同士を重ね合わせて縫い合わせることにより、表裏両面双方に毛部を有するように構成した毛皮製品もあるが、このような毛皮製品は、前記のような表面側にのみ毛部を有する毛皮製品に比して材料（毛付皮）の使用量が二倍になり、また、これによって二倍のコスト高ともなってしまう。
【０００４】
本発明者は、このような現状に鑑み、もっとコスト安にして質感と量感のある毛皮製品を構成できないかと思案し、一製品分の毛付皮しか使用しない構成にして表裏両面双方に毛部を有する非常に質感と量感のある画期的な毛皮製品並びにその製造方法を完成させた。
【０００５】
【課題を解決するための手段】
添付図面を参照して本発明の要旨を説明する。
【０００６】
皮部１表面側に毛部２を有する毛付皮Ａを帯状に分断して帯状毛皮ａを形成し、この各帯状毛皮ａの表面側の前後端部を裏面側へ折り返し形成して、この帯状毛皮ａの裏面側の皮部１の前後端部に毛部２’を形成し、この分断した帯状毛皮ａを各表裏向きが交互に表裏反対となるように並設し、この並設した各帯状毛皮ａの隣接する左右端縁同士を継合して表裏両面双方に毛部２を有するように構成したことを特徴とする毛皮製品に係るものである。
【０００７】
また、前記毛付皮Ａを細分断して細帯状の前記帯状毛皮ａを形成し、この分断した帯状毛皮ａを各表裏向きが交互に表裏反対となるように並設し、この並設した各帯状毛皮ａの隣接する左右端縁同士を継合して表裏両面双方に毛部２を有するように構成したことを特徴とする請求項１記載の毛皮製品に係るものである。
【０００８】
また、帯状の前記毛付皮Ａを、この毛付皮Ａの長さ方向に細分断して細帯状の前記帯状毛皮ａを形成し、この分断した帯状毛皮ａを各表裏向きが交互に表裏反対となるように並設し、この並設した各帯状毛皮ａの隣接する左右端縁同士を継合して表裏両面双方に毛部２を有するように構成したことを特徴とする請求項１記載の毛皮製品に係るものである。
【０００９】
また、前記各帯状毛皮ａの毛部２の毛並みが、表裏面で揃った状態となるように帯状毛皮ａの並設状態を設定したことを特徴とする請求項１〜３のいずれか１項に記載の毛皮製品に係るものである。
【００１０】
また、皮部１表面側に毛部２を有する毛付皮Ａを帯状に分断して帯状毛皮ａを形成し、この各帯状毛皮ａの表面側の前後端部を裏面側へ折り返し形成して、この帯状毛皮ａの裏面側の皮部１の前後端部に毛部２’を形成し、この分断した帯状毛皮ａの各表裏向きを交互に表裏反対となるように並設し、この並設した各帯状毛皮ａの隣接する左右端縁同士を継合して表裏両面双方に毛部２を有するようにすることを特徴とする毛皮製品の製造方法に係るものである。
【００１１】
【発明の実施の形態】
好適と考える本発明の実施の形態（発明をどのように実施するか）を、図面に基づいてその作用効果を示して簡単に説明する。
【００１２】
毛付皮Ａを帯状に分断した帯状毛皮ａの各表裏向きを交互に表裏反対となるように継合しているから、この帯状毛皮ａを継合した製品の表裏両面には毛部２と皮部１の裏面の無毛部とが連続的に形成されるが、この皮部１の裏面の無毛部は、周囲に隣接している毛部２によって覆われて見えなくなり、表裏両面双方に体裁良く毛部２を存することとなる。
【００１３】
また、各帯状毛皮ａの表面側の前後端部を裏面側へ折り返し形成して、この帯状毛皮ａの裏面側の皮部１の前後端部に毛部２’を形成しているため、それだけこの皮部１の無毛部分が減ってこの無毛部分が見えにくくなるため、一層体裁が良好となる。
【００１４】
従って、一片の毛付皮Ａ（一製品分の材料）で表裏両面に毛部２を存する毛皮製品を構成できるから、コストが掛からない構成にして質感，量感があって、非常に高級感のある画期的な毛皮製品となり、また、表裏両面に毛部２・２’を有するから保温性にも秀れることとなる。
【００１５】
また、請求項２記載の発明においては、毛付皮Ａを細分断して細帯状の帯状毛皮ａを形成しているため、この帯状毛皮ａを各表裏向きが交互に表裏反対となるように並設して継合した製品の表裏各面に存する無毛部分が細帯状となるから、この無毛部分が隣接する周囲の毛部２によって良好に覆われて隠れることとなり、この無毛部分が見えにくく一層体裁が良好となる。
【００１６】
また、請求項３記載の発明においては、帯状の毛付皮Ａを採用しているため、特に襟巻きなどの毛皮製品を構成するのに最適となり、また、この帯状の毛付皮Ａを細分断して細帯状の帯状毛皮ａを形成しているため、この帯状毛皮ａを各表裏向きが交互に表裏反対となるように並設して継合した襟巻きなどの帯状製品の表裏両面に存する無毛部分が細帯状となるから、この無毛部分が隣接する周囲の毛部２によって良好に覆われて隠れることとなり、この無毛部分が見えにくく一層体裁が良好となる襟巻きなどの帯状製品を構成できることとなる。
【００１７】
また、請求項４記載の発明においては、表裏両面に形成された毛部２の毛並みが表裏面で揃っているから、非常に手触りが良く、またこの毛並みによって各毛部２が良好に隣接する皮部１裏面の無毛部を覆って隠蔽することとなるから、この無毛部分が一層見えにくく一層体裁が良好となる。
【００１８】
また、請求項５記載の発明においては、皮部１表面側に毛部２を有する毛付皮Ａを帯状に分断して帯状毛皮ａを形成し、この分断した帯状毛皮ａの各表裏向きを交互に表裏反対となるように並設し、この並設した各帯状毛皮ａの隣接する左右端縁同士を継合すると、この製品の表裏面には、毛部２と皮部１の裏面の無毛部とが連続的に形成されるが、この皮部１裏面の無毛部は、周囲に隣接している毛部２によって覆われて見えなくなり、製品の表裏両面双方に体裁良く毛部２を存する毛皮製品が構成されることとなる。
【００１９】
また、各帯状毛皮ａの表面側の前後端部を裏面側へ折り返し形成して、この帯状毛皮ａの裏面側の皮部１の前後端部に毛部２’を形成しているため、それだけこの皮部１の無毛部分が減ってこの無毛部分が見えにくくなるため、一層体裁が良好となる。
【００２０】
従って、一片の毛付皮Ａ（一製品分の材料）で表裏両面に毛部２を存する毛皮製品を構成できるから、コストを掛けない構成にして質感，量感があって非常に高級感があり、且つ表裏両面に毛部２・２’を有するから保温性にも秀れる毛皮製品を構成できることとなる。
【００２１】
【実施例】
本発明の具体的な実施例について図面に基づいて説明する。
【００２２】
本実施例は、本発明を襟巻きに適用した場合を示している。
【００２３】
Ａは、皮部１の表面側に毛部２を有する毛付皮であって、一本の襟巻きを構成し得る適当長さの帯状片を採用している。
【００２４】
また、ａは、この帯状の毛付皮Ａを長さ方向に細分断して形成した細帯状の帯状毛皮ａである。
【００２５】
この帯状毛皮ａを、その長手方向縁となる左右側縁を突き合わせた状態にして表裏向きを交互に表裏反対になるように並設し、そして隣接する帯状毛皮ａの皮部１の左右側縁同士を縫い合わせ継合して、図４に示すように表裏面の双方に毛部２と皮部１の裏面の無毛部が連続的に配される帯状の製品を構成した。
【００２６】
また、この際、一定間隔を置いて製品に形成される毛部２の毛並み（毛の向き）が表裏面とも揃った状態となるように帯状毛皮ａを配設して皮部１を縫い合わせ継合し、この同じ方向に沿って流れる毛部２の毛並みによって、毛部２に隣接している皮部１裏面の無毛部分が順序良く覆い隠されるように構成した。
【００２７】
また、本実施例の帯状毛皮ａは、その皮部１の裏面側の無毛部分が継合隣接する帯状毛皮ａの毛部２によって覆い隠されて外観視し得ない程度の細幅となるように左右横幅を設定している。
【００２８】
従って、この皮部１裏面の無毛部分が毛部２に隠蔽されて見えず、体裁が良好となるように構成している。
【００２９】
この製造工程について具体的に説明すると、先ず、毛付皮Ａの長さ方向に所定の少間隔を置いて毛付皮Ａの長さ方向と直交する方向に沿った切れ目を入れておく。続いて、この毛付皮Ａの長さ方向のいずれか一端側から前記切れ目に沿って帯状毛皮ａを一枚切断し、この切断した帯状毛皮ａを図３の矢印のように毛付皮Ａの長さ方向となる軸線方向を軸にして１８０度回転させることにより裏返し、この裏返した帯状毛皮ａの皮部１を切り離した毛付皮Ａの切断端縁に突き合わせて縫い合わせ継合する。この際帯状毛皮ａの前後端部は縫着せず、この前後端部を表面側から裏面側へ折り返しし得るようにしておく。以下、同様にして一回一回帯状毛皮ａを切り離しては裏返して、元の切断縁に突き合わせて縫い合わせ継合する。
【００３０】
従って、切断した帯状毛皮ａを毛付皮Ａの長さ方向となる軸線方向を軸にして１８０度裏返すことによって表裏両面の毛部２の毛並みも揃うし、表裏両面の毛の配色も合わせられることとなる。また、一回一回帯状毛皮ａを切断し、その都度切断した帯状毛皮ａを裏返して縫い合わせていく非常に丁寧な作業方法のため、多少手間は掛かるが、非常に美しく仕上がることとなる。
【００３１】
その後、図５の矢印のようにこの縫い合わせ継合した各帯状毛皮ａの表面側（毛部２）の前後端部を、約５ミリメートル位の幅をもってこの帯状毛皮ａの裏面側へ折り返し形成し、この裏面側の皮部１の前後端部にも毛部２’を形成した。
【００３２】
従って、この折り返し形成した皮部１の前後端部の毛部２’によりこの皮部１裏面の無毛部分が減り、また、特に無毛部分として目立って見え易い皮部１裏面の前後端部に毛部２’を形成しているから、この皮部１が一層外観視しにくくなって非常に体裁良好となる。
【００３３】
尚、この折り返し形成する皮部１裏面側の毛部２’については、その折り返し幅が約５ミリメートル程度の幅を有する構成であれば良好な体裁を確保できることが確認されている。
【００３４】
従って、本実施例においては、毛付皮Ａを細い帯状に分断して帯状毛皮ａを形成し、この帯状毛皮ａを表裏向きを交互に表裏反対になるように配して隣接する帯状毛皮ａの皮部１を縫い合わせ継合しているから、この製品の表裏面双方には毛部２と皮部１の裏面の無毛部が連続的に配されるが、この皮部１裏面の無毛部は左右に隣接する帯状毛皮ａの毛部２によって隠蔽されて外観視しにくいこととなる。
【００３５】
即ち、一片の毛付皮Ａ（一製品分の材料）で表裏両面双方に体裁良く毛部２を有する毛皮製品を構成できることとなるから、二片の毛付皮を用いて表裏両面に毛部を有するように構成していた従来製品に比して毛付皮の使用量が半分で良く、また、従来、毛付皮を分断し、この毛付皮と毛付皮との間にただの布生地や皮革などを縫い合わせることにより毛付皮の使用量を節約し、この布生地や皮革などの無毛部分を周囲の毛部で覆って見えなくなるように仕上げて製品のコストダウン化を図るという製造方法も実施されており、原材料となる毛付皮のコストが非常に高く、このように製作に多少手間をかけても毛付皮の使用量を節約することによりコストダウンを図りたいという現状であるから、本実施例は一製品分の材料で表裏両面双方に体裁良く毛部２を有する毛皮製品を構成できることが非常に画期的となり、また、実現化も非常に容易に可能となる。
【００３６】
また、裏地を縫い付けなくとも良いから、それだけ制作上の手間を省くことができるし、この裏地がない分製品自体の重量も軽量化して取り扱いが容易となる。
【００３７】
尚、本実施例では、表裏面双方に形成した毛部２の毛並みを揃えて構成した場合を示したが、毛並みをわざと違わせて手触りに変化を持たせても良い。
【００３８】
また、毛色の異なる二片の毛付皮Ａを用いて双方の帯状毛皮ａを相互に組み合わせて構成することにより、まだら模様のものを二本構成しても良い。
【００３９】
また、二片の毛付皮Ａを用いて双方の帯状毛皮を相互に組み合わせて一本の帯状製品を構成すると、二倍の長さの製品を構成できることとなる。また、このようにして構成する場合には、毛付皮Ａを採取する獣の背部の首部から尻部にかけての中央部を境にした左右対称の位置の部分を切り取って使用すると、構成する毛皮製品の表裏面の毛足の深さを略一定にすることができ、美しく仕上げることができるため望ましい。
【００４０】
また、毛付皮Ａの両長手方向縁を予め皮部１の裏面側へ折り返し縫着して毛付皮Ａの両長手方向縁に前記毛部２’を形成しておき、その後この毛付皮Ａを全て分断して帯状毛皮ａを形成してから、この帯状毛皮ａを各表裏面が交互に表裏反対となるように配設して隣接する帯状毛皮ａ同士を縫着する構成でも良く、このように構成すると、仕上がりの美しさは多少劣るが作業時間が短縮して作業性が向上することになる。
【００４１】
また、本実施例では襟巻きの製造方法を示したが、コートを製造する場合にも同様にして毛付皮Ａを縦に細断し、細断した帯状毛皮ａを表裏面を交互に表裏反対となるように配して縫着することにより構成すれば、一製品分の材料（表裏両面に毛部を有する従来製品を構成するのに必要な半分の材料）で表裏両面双方に毛部２を存する質感，量感があり、非常に高級感のあるコートを構成できることとなる。
【００４２】
【発明の効果】
本発明は上述のように構成したから、表裏両面双方に体裁良く毛部を存する毛皮製品となる。
【００４３】
しかも、各帯状毛皮の表面側の前後端部を裏面側へ折り返し形成して、この帯状毛皮の裏面側の皮部の前後端部に毛部を形成しているため、それだけこの皮部の無毛部分が減ってこの無毛部分が見えにくくなるため、一層体裁が良好となり、従来の表面側にのみ毛部を有する毛皮製品と同様の毛付皮の使用量で表裏両面に毛部を存する毛皮製品を構成できるから、コストを掛けない構成にして質感，量感があり、非常に高級感のある画期的な毛皮製品となると共に、表裏両面に毛部を有するから保温性にも秀れるなどの効果を発揮する毛皮製品となる。
【００４４】
また、請求項２記載の発明のように構成すれば、毛付皮を細分断して細帯状の帯状毛皮を形成しているため、この帯状毛皮を各表裏向きが交互に表裏反対となるように並設して継合した製品の表裏各面に存する無毛部分が細帯状となるから、この無毛部分が隣接する周囲の毛部によって良好に覆われて隠れることとなり、この無毛部分が見えにくく一層体裁が良好となる毛皮製品を構成できるとなる。
【００４５】
また、請求項３記載の発明のように構成すれば、帯状の毛付皮を採用しているため、特に襟巻きなどの毛皮製品を構成するのに最適となり、また、この帯状の毛付皮を細分断して細帯状の帯状毛皮を形成しているため、この帯状毛皮を各表裏向きが交互に表裏反対となるように並設して継合した襟巻きなどの帯状製品の表裏両面に存する無毛部分が細帯状となるから、この無毛部分が隣接する周囲の毛部によって良好に覆われて隠れることとなり、この無毛部分が見えにくく一層体裁が良好となる襟巻きなどの帯状製品を構成できることとなる。
【００４６】
また、請求項４記載の発明のように構成すれば、表裏両面に形成された毛部の毛並みが表裏面で揃っているから、非常に手触りが良く、またこの毛並みによって各毛部が良好に隣接する皮部裏面の無毛部を覆って隠蔽することとなるから、この無毛部分が一層見えにくく一層体裁が良好となる。
【００４７】
また、請求項５記載の発明においては上述のように、皮部表面側に毛部を有する毛付皮を帯状に分断して帯状毛皮を形成し、この各帯状毛皮の表面側の前後端部を裏面側へ折り返し形成して、この帯状毛皮の裏面側の皮部の前後端部に毛部を形成し、この分断した帯状毛皮の各表裏向きを交互に表裏反対となるように並設し、この並設した各帯状毛皮の隣接する左右端縁同士を継合するから、この製品の表裏面には、毛部と皮部の裏面の無毛部とが連続的に形成されることとなるが、この皮部裏面の無毛部は、周囲に隣接している毛部によって覆われると共に、各帯状毛皮の裏面側の皮部の前後端部に毛部を形成しているため、それだけこの皮部の無毛部分が減ってこの無毛部分が見えにくくなり、製品の表裏両面双方に体裁良く毛部を存する毛皮製品が構成されることとなる。
【００４８】
従って、一製品分の材料しか使用せずして表裏両面に体裁良く毛部を有する毛皮製品を構成できる画期的な毛皮製品の製造方法となり、また、この製造方法で製造した毛皮製品は、表裏両面に毛部を有することにより質感，量感があって高級感を有すると共に、表裏両面の毛部により保温性も良好となるなどの極めて秀れた効果を有する毛皮製品となる極めて秀れた毛皮製品の製造方法となる。
【図面の簡単な説明】
【図１】本実施例の完成状態の斜視図である。
【図２】本実施例の毛付皮（半製品）の斜視図である。
【図３】本実施例の毛付皮（半製品）を帯状に分断した状態を示す説明斜視図である。
【図４】本実施例の帯状毛皮を交互に表裏反対となるようにして縫い合わせた状態を示す説明側断面図である。
【図５】本実施例の帯状毛皮を縫い合わせ、且つこの帯状毛皮の前後両端を折り返し縫着する作業の途中状態を示す説明平面図である。
【図６】本実施例の帯状毛皮を縫い合わせ、且つこの帯状毛皮の前後両端を折り返し縫着した完成状態での表側の毛部を除いて描いた説明斜視図である。
【符号の説明】
１  皮部
２  毛部
２’  毛部
Ａ  毛付皮
ａ  帯状毛皮